(57)【要約】【課題】軟らかな地面にも適用できる葉分け器を提供することを課題とする。【解決手段】（ａ）に示す比較例では、爪１０５に加わる力は、爪１０５と車軸１０１とを結んだ線１１１に沿って、車軸１０１に作用する。線１１１が地面１０７となす角度θ１は、大きいため、地面１０７が軟弱であると、爪１０５が地面１０７に突き刺さる。角度θ１は前輪１１２の径によって決まるため、変更は難しい。（ｂ）に示す実施例では、爪２４に加わる力は、フレーム２２の軸線２６に沿ってブラケット２１に作用する。軸線２６が地面３４となす角度θ２は、小さくなる。角度θ２が小さい程、地面３４に突き刺さりにくくなる。この実施例によれば、地面３４が軟弱であっても爪２４が地面３４に深く刺さる心配はなく、農作業を円滑に進めることができる。【選択図】図４
2008253177.tif 000002
【特許請求の範囲】
【請求項１】
畑の地面に這っている葉や茎を起こすために、前輪の前に配置される葉分け器であって、この葉分け器は、前輪車軸を揺動中心にして揺動可能に車体側に支持されているブラケットと、前記揺動中心より下の位置にてブラケットに支持され前方へ延びているフレームと、このフレームの前部に設けられ葉を分ける半割円錐筒と、この半割円錐筒の先端に設けられている爪とからなることを特徴とする葉分け器。
【請求項２】
前記フレームは、前記爪に向かって延ばされていることを特徴とする請求項１記載の葉分け器。
【発明の詳細な説明】
【技術分野】
【０００１】
本発明は、畑の地面に這っている葉や茎を起こすために、前輪の前に配置される葉分け器に関する。
【背景技術】
【０００２】
玉葱の葉や茎が畑の地面に這っているときに、畑に作業機を入れると、作業機の車輪で葉や茎を踏みつける心配がある。この不都合を避けるために、葉などを分ける道具を前輪に設ける。この道具は葉分け器と呼ばれる。
また、玉葱では、地面に埋まっている実の部分と、地上に出ている葉や茎とを、収穫の際に切り分ける。しかし、葉や茎は地面に這っているため、一度起こし、実から茎や葉が切断できるようにする必要がある。葉や茎を地面から起こすには葉分け器を使用する。
【０００３】
葉分け器として、車輪の前に配置されるものが知られている（例えば、特許文献１参照。）。
【特許文献１】実公平８−４８２７号公報（図４）
【０００４】
特許文献１を次図に基づいて説明する。
図５は従来の葉分け器の基本構造を説明する図であり、（ａ）に示すように、この葉分け器１００は、車軸１０１に回転可能に取付けられているブラケット１０２と、このブラケット１０２から延ばされたフレーム１０３と、このフレーム１０３に取付けられている半割円錐筒１０４と、この半割円錐筒１０４の先端に設けられている爪１０５と、半割円錐筒１０４に設けられているそり１０６とからなる。
【０００５】
地面１０７を這っている葉や茎は、爪１０５で掻き上げられ、半割円錐筒１０４で徐々に起こされる。
地面１０７が、ある程度硬いときには、順調に葉や茎を起立させることができる。しかし、雨上がりなどで地面１０７が軟らかくなると、爪１０５が地面１０７に深く刺さり、作業機の前進に支障がでることが判明した。そのたびに、作業機を後退させて地面１０７から爪１０５を抜かなければならないので、作業能率が著しく低下する。
【０００６】
また、フレーム１０３が半割円錐筒１０４の上辺１０８にほぼ平行であることが構造的な特徴となる。この結果、地面１０７から爪１０５に矢印（１）の力が加わると、半割円錐筒１０４にモーメントが作用し、半割円錐筒１０４とフレーム１０３との接合部１０９に応力が集中し、この接合部１０９が変形し、破断するというトラブルが発生した。
【０００７】
そこで、軟らかな地面にも適用できる葉分け器が求められる。
【発明の開示】
【発明が解決しようとする課題】
【０００８】
本発明は、軟らかな地面にも適用できる葉分け器を提供することを課題とする。
【課題を解決するための手段】
【０００９】
請求項１に係る発明は、畑の地面に這っている葉や茎を起こすために、前輪の前に配置される葉分け器であって、この葉分け器は、前輪車軸を揺動中心にして揺動可能に車体側に支持されているブラケットと、前記揺動中心より下の位置にてブラケットに支持され前方へ延びているフレームと、このフレームの前部に設けられ葉を分ける半割円錐筒と、この半割円錐筒の先端に設けられている爪とからなることを特徴とする。
【００１０】
請求項２に係る発明では、フレームは、爪に向かって延ばされていることを特徴とする。
【発明の効果】
【００１１】
請求項１に係る発明では、フレームの軸線は、前輪車軸と地面との間を通る。そのため、フレームの軸線が地面となす角度は小さくなる。この角度が小さくなると、先端の爪は地面に浅く刺さる。地面からの抵抗が小さくなるので、作業機を後退させる必要が無くなり、作業能率が高まる。
【００１２】
請求項２に係る発明では、フレームの軸線上に爪を配置した。地面から爪に加わった力は、フレームに圧縮力となって作用する。すなわち、半割円錐筒とフレームとの継ぎ目にモーメントが掛かる心配はない。フレームに曲げが殆ど加わらないため、フレームを細くすることができ、草分け器の軽量化が達成できる。
【発明を実施するための最良の形態】
【００１３】
本発明を実施するための最良の形態を添付図に基づいて以下に説明する。なお、図面は符号の向きに見るものとする。
図１は本発明の草分け器を装着した乗用管理機の側面図であり、トラクター等の乗用管理機１０は、機体１１に前輪１２、後輪１３、ステアリング１４及びシート１５を備えている。そして、前輪車軸１６に揺動可能に草分け器２０が取付けられている。この草分け器２０は、運転者の操作によって上昇させることができる。
【００１４】
図２は本発明に係る草分け器の側面図であり、草分け器２０は、前輪車軸１６を揺動中心にして揺動可能に支持されているブラケット２１と、揺動中心（前輪車軸１６）より下の位置にてブラケット２１に支持され前方へ延びているフレーム２２と、このフレーム２２の前部に設けられ葉を分ける半割円錐筒２３と、この半割円錐筒２３の先端に設けられている爪２４と、半割円錐筒２３に沿って後方へ延ばされたガイドロッド２５、２５とからなる。
【００１５】
図３は本発明に係る草分け器の断面図であり、フレーム２２の軸線２６は、爪２４を通ると共に前輪車軸１６と地面２７との間を通る。また、半割円錐筒２３は、下部にシュー機構３０を備えている。このシュー機構３０は、軟らかい地面に半割円錐筒２３が沈まないようにするスキー板の役割を果たす。
【００１６】
シュー機構３０は、半割円錐筒２３の底にヒンジピン３１で上下動可能に取付けられたスキー板３２と、このスキー板３２の自由端（後端）を支持する高さ調整ボルト３３とからなる。
ヒンジピン３１を低位置に設けたので、半割円錐筒２３は細長形状にすることができた。
【００１７】
以上の構成からなる草分け器の作用を次に述べる。
図４は従来の草分け器と本発明による草分け器との比較図である。
（ａ）に示す比較例では、爪１０５に加わる力は、爪１０５と車軸１０１とを結んだ線１１１に沿って、車軸１０１に作用する。線１１１が地面１０７となす角度θ１は、大きいため、地面１０７が軟弱であると、爪１０５が地面１０７に突き刺さる。角度θ１は前輪１１２の径によって決まるため、変更は難しい。
【００１８】
爪１０５が深く刺さる程、地中浅いところにある玉葱が浮き上がり、農作物に害を及ぼす。
【００１９】
（ｂ）に示す実施例では、爪２４に加わる力は、フレーム２２の軸線２６に沿ってブラケット２１に作用する。軸線２６が地面２７となす角度θ２は、小さくなる。角度θ２が小さい程、地面３４に突き刺さりにくくなる。この実施例によれば、地面３４が軟弱であっても爪２４が地面３４に深く刺さる心配はなく、農作業を円滑に進めることができる。
【００２０】
爪２４が浅く刺さるため、地中浅いところにある玉葱が浮き上がる心配はなく、農作物に害は及ばない。
そして、角度θ２はブラケット２１の寸法を調節することで、自由に設定できる。前輪１２の径の影響は受けない。すなわち、前輪１２の径を自由に選ぶことができる。
【００２１】
また、（ａ）では半割円錐筒１０４とフレーム１０３との接合部１０９に応力が集中するため、この接合部１０９で変形し、破断する心配がある。
この点、（ｂ）では、地面３４から爪２４に加わった力は、フレーム２２に圧縮力となって作用する。すなわち、半割円錐筒２３とフレーム２２との継ぎ目にモーメントが掛かる心配はない。フレーム２２に曲げが殆ど加わらないため、フレーム２２を細くすることができ、草分け器２０の軽量化が達成できる。
【００２２】
尚、本発明は、玉葱の草分け作業に好適であるが、他の作物の草分け作業に供することは差し支えない。また、草分け器は、乗用管理機の他、歩行型管理機に取付けてもよい。
【産業上の利用可能性】
【００２３】
本発明は、玉葱の草分け作業に最適である。
【図面の簡単な説明】
【００２４】
【図１】本発明の草分け器を装着した乗用管理機の側面図である。
【図２】本発明に係る草分け器の側面図である。
【図３】本発明に係る草分け器の断面図である。
【図４】従来の草分け器と本発明による草分け器との比較図である。
【図５】従来の葉分け器の基本構造を説明する図である。
【符号の説明】
【００２５】
１０…乗用管理機、１２…前輪、１６…前輪車軸、２０…草分け器、２１…ブラケット、２２…フレーム、２３…半割円錐筒、２４…爪、２７…地面。
【図１】
2008253177.tif 000003
【図２】
2008253177.tif 000004
【図３】
2008253177.tif 000005
【図４】
2008253177.tif 000006
【図５】
2008253177.tif 000007